(57)【特許請求の範囲】
【請求項１】
電線結線用の速結端子部とアース機能を有するアース接続部との個別部材により成るアースブロックと、このアースブロックの電線挿入方向に対し垂直な方向に取付面を有するとともに前記アースブロック収納用の開口を有する絶縁樹脂性のボディと、前記速結端子部を抜け止め固定して前記開口を閉塞するための絶縁樹脂性のカバーとを備え、前記アース接続部は、前記速結端子部に対する圧接部を一端側に有するとともにスリットを少なくとも他端側に有し、前記ボディの取付面としての一の面には、前記アース接続部の圧接部を挿入して前記速結端子部に圧接させるための孔が穿設されているとともに、前記アース接続部のスリットに嵌入してそのアース接続部を当該ボディの取付面に取り付けるための突起が形成され、前記速結端子部およびアース接続部を前記ボディを介して取付面に対し垂直な２方向より挟み込むようにして組み付けるとともに、前記アース接続部を前記ボディに形成された前記突起に固定し、この固定により速結端子部とアース接続部との当接状態を維持することを特徴とする端子台。
【請求項２】
前記速結端子部およびアース接続部を板厚の異なる材料で構成し、前記アース接続部の板厚を前記速結端子部の板厚よりも薄くして成ることを特徴とする請求項１記載の端子台。
【請求項３】
前記速結端子部およびアース接続部を材質の異なる導電性材料で構成するとともに、前記アース接続部を前記速結端子部よりも弾性のある材料で構成して成ることを特徴とする請求項１記載の端子台。
【請求項４】
前記速結端子部は、板状の端子板部と、この端子板部とともに電線の導体線を狭持し鎖錠する鎖錠片を有する速結端子板部とを一体に備えて成ることを特徴とする請求項１記載の端子台。
【発明の詳細な説明】
【０００１】
【発明の属する技術分野】
本発明は、例えば照明器具に内蔵して使用される端子台に関するものである。
【０００２】
【従来の技術】
従来、この種の端子台には、弾性のあるアース片が当該端子台の取付面に設けられることがある。
【０００３】
例えば、実開平２−１３６９７４号公報には、突出方向に弾性を付与されたアース片を端子台の取付面に突出して設け、端子台を取り付ける取付板に圧接孔を設け、この圧接孔にアース片を圧接させた状態で端子台を取付板に取り付ける端子台のアース接続構造が開示されている。
【０００４】
【発明が解決しようとする課題】
しかしながら、上記端子台のアース接続構造では、取付板の圧接孔へのアース機能を有するアース接続部としてのアース片と電線結線用の速結端子部としての端子とがアースブロックとして一の部品で構成されるために、アースブロック、特にアース接続部の材料歩留まりが悪かった。
【０００５】
また、図８に示すように、アース片ＥＢ１および端子ＥＢ２を有する一の部品でアースブロックＥＢを構成した場合、アース片ＥＢ１を端子台の取付面に突出して設けるには、まず、図８の破線に示す状態のアースブロックＥＢをボディ１５ｐの所定位置に嵌入し（図８の矢印Ａ参照）、続いて、図８および図９の矢印Ｂに示すように、アース片ＥＢ１の曲げ加工を行う必要があり、アース片ＥＢ１の曲げ加工を行う手間が生じる。このため、組立効率が悪くなる。
【０００６】
さらに、アースブロックの使用材料を選択する場合、アース接続部および速結端子部のどちらかの機能を優先して材料を選択しなければならず、両者の機能を充分に満足する材料の選択が非常に困難であった。
【０００７】
本発明は、上記事情に鑑みてなされたものであり、材料歩留まりおよび組立効率がよく、速結端子部およびアース接続部に対する材料の選択の幅が広がる端子台を提供することを目的とする。
【０００８】
【課題を解決するための手段】
上記課題を解決するために請求項１記載の発明の端子台は、電線結線用の速結端子部とアース機能を有するアース接続部との個別部材により成るアースブロックと、このアースブロックの電線挿入方向に対し垂直な方向に取付面を有するとともに前記アースブロック収納用の開口を有する絶縁樹脂性のボディと、前記速結端子部を抜け止め固定して前記開口を閉塞するための絶縁樹脂性のカバーとを備え、前記アース接続部は、前記速結端子部に対する圧接部を一端側に有するとともにスリットを少なくとも他端側に有し、前記ボディの取付面としての一の面には、前記アース接続部の圧接部を挿入して前記速結端子部に圧接させるための孔が穿設されているとともに、前記アース接続部のスリットに嵌入してそのアース接続部を当該ボディの取付面に取り付けるための突起が形成され、前記速結端子部およびアース接続部を前記ボディを介して取付面に対し垂直な２方向より挟み込むようにして組み付けるとともに、前記アース接続部を前記ボディに形成された前記突起に固定し、この固定により速結端子部とアース接続部との当接状態を維持するのである。
【０００９】
この構造では、アースブロックが速結端子部とアース接続部との個別部材により構成されるので、速結端子部およびアース接続部に対する材料の選択の幅が広がる。また、組立時、アースブロックに対する曲げ加工が不要になるから、組立効率がよくなる。さらに、速結端子部およびアース接続部に対する材料の板厚を所望の板厚に設定することができるので、材料歩留まりの改善が可能になる。
【００１０】
なお、請求項１記載の端子台において、前記速結端子部およびアース接続部を板厚の異なる材料で構成し、前記アース接続部の板厚を前記速結端子部の板厚よりも薄くして成る構造であれば（請求項２）、材料歩留まりが改善される。
【００１１】
また、請求項１記載の端子台において、前記速結端子部およびアース接続部を材質の異なる導電性材料で構成するとともに、前記アース接続部を前記速結端子部よりも弾性のある材料で構成して成る構造でもよい（請求項３）。この構造でも、材料歩留まりおよび組立効率を良くすることができ、速結端子部およびアース接続部に対する材料の選択の幅を広げることができる。
【００１３】
さらに、請求項１記載の端子台において、前記速結端子部は、板状の端子板部と、この端子板部とともに電線の導体線を狭持し鎖錠する鎖錠片を有する速結端子板部とを一体に備えて成る構造でもよい（請求項４）。この構造によれば、部品点数の削減が可能になる。
【００１４】
【発明の実施の形態】
図１は本発明の一実施形態に係る端子台の分解斜視図、図２は図１の端子台を上方から見た平面図、図３は図１の端子台を下方から見た一部平面図、図４は図２に示すアースバネ近傍の一部断面図、図５は図１の端子台を下方斜めから見た斜視図で、これらの図を用いて以下に本実施形態の説明を行う。
【００１５】
図１に示す端子台は、例えば照明器具における取付孔Ｈ１が形成された金属製の取付板Ｂに取り付けられて使用されるものであって、複数の速結端子部１１，１２，１３と、アースバネ１４と、複数の速結端子部１１，１２，１３を内部に収納するボディ１５およびカバー１６とにより構成されている。
【００１６】
速結端子部１１は、両端が左方に屈曲する板状の端子板部１１１と、この端子板部１１１の上端中央から左方に屈曲して前後方向に延びる断面弓形状に形成され、電線Ｗの導体線を端子板部１１１の屈曲部分とともに鎖錠片１１２ａとしての各先端で狭持し鎖錠する速結端子板部１１２と、この速結端子板部１１２の前後端の各々から延設された解錠片１１３と、端子板部１１１の下端後方から右方に屈曲して前方に延びる延設部１１４と、この延設部１１４の前端から上方に屈曲する板状の屈曲部１１５と、この屈曲部１１５に形成された一対の鎖錠片１１６とを備え、金属板を使用し例えば曲げ加工およびかしめなどを行うことにより一体に構成される。つまり、端子板部１１１の屈曲部分と速結端子板部１１２の各鎖錠片１１２ａとにより、前後方向に配列された電線速結用の速結手段が一対構成され、屈曲部１１５側の一対の鎖錠片１１６により、左右方向に配列された電線速結用の速結手段が一対構成される構造になっている。
【００１７】
速結端子部１２は、両端が右方に屈曲する板状の端子板部１２１と、この端子板部１２１の上端中央から右方に屈曲して前後方向に延びる断面弓形状に形成され、電線Ｗの導体線を端子板部１２１の屈曲部分とともに鎖錠片１２２ａとしての各先端で狭持し鎖錠する速結端子板部１２２と、この速結端子板部１２２の前後端の各々から延設された解錠片１２３と、端子板部１２１の下端後方から左方に屈曲して前方に延びる延設部１２４と、この延設部１２４の前端から上方に屈曲する板状の屈曲部１２５と、この屈曲部１２５に形成された一対の鎖錠片１２６とを備え、金属板を使用し例えば曲げ加工およびかしめなどを行うことにより一体に構成される。つまり、端子板部１２１の屈曲部分と速結端子板部１２２の各鎖錠片１２２ａとにより、前後方向に配列された電線速結用の速結手段が一対構成され、屈曲部１２５側の一対の鎖錠片１２６により、左右方向に配列された電線速結用の速結手段が一対構成される構造になっている。
【００１８】
速結端子部１３は、両端が右方に屈曲する板状の端子板部１３１と、この端子板部１３１の上端中央から右方に屈曲して前後方向に延びる断面弓形状に形成され、電線Ｗの導体線を端子板部１３１の屈曲部分とともに鎖錠片１３２ａとしての各先端で狭持し鎖錠する速結端子板部１３２と、この速結端子板部１３２の前後端の各々から延設された解錠片１３３とを備え、金属板を使用し例えば曲げ加工などを行うことにより一体に構成される。つまり、端子板部１３１の屈曲部分と速結端子板部１３２の各鎖錠片１３２ａとにより、前後方向に配列された電線速結用の速結手段が一対構成される構造になっている。そして、本実施形態では、速結端子部１３はアース端子として使用される。
【００１９】
アースバネ１４は、金属板を使用し例えば曲げ加工などを行うことにより図１に示す形状に形成され、速結端子部１３の端子板部１３１の右面に圧接（当接）する圧接部１４１を左端側に有し、当該アースバネ１４をボディ１５に取り付けるためのスリット１４２を右端側に有している。また、アースバネ１４の右端側は下方に屈曲されており（図５参照）、この屈曲部分が取付板Ｂのアース孔Ｈ２に挿入され取付板Ｂに圧接される。このアースバネ１４は上記速結端子部１３とともにアースブロックを構成する。なお、図４の例では、圧接部１４１は断面コ字状になっているが、断面Ｒ状などの他の形状でも良いのは言うまでもない。
【００２０】
ボディ１５は、絶縁性の樹脂などで一面開口の箱状に形成され、速結端子部１１〜１３を互いに絶縁した状態で左右方向に並べて内部に収納するものである。このボディ１５には、速結端子部１１〜１３を互いに絶縁した状態で収納するための隔壁部１５ａ，１５ｂと、速結端子部１１〜１３をそれぞれ当該ボディ１５に取付固定するための断面コ字状の壁部１５ｃ〜１５ｅとが形成されている。
【００２１】
また、ボディ１５の取付面としての下面には、本端子台の回り止め用であって取付板Ｂの孔Ｈ３に挿入される突起１５ｆが形成され（図５参照）、またアースバネ１４填め込み用の溝部１５ｇが設けられている（図３〜図５参照）。この溝部１５ｇには、アースバネ１４のスリット１４２に嵌入（圧入）するリブ１５ｈが形成され、このリブ１５ｈの近傍には、アースバネ１４の圧接部１４１側をボディ１５内部に挿入するための孔１５ｉが穿設されている。
【００２２】
また、ボディ１５の前方側面には、複数の孔１５ｊが上記各鎖錠片１２６に対応する位置に穿設されている。
【００２３】
さらに、前後方向と直交するボディ１５の両側面の各々には、係止爪１５ｋが複数形成されているとともに、取付部１５０が左右方向の右方寄りに一体に形成されている。具体的には、各取付部１５０は、隔壁１５ａを通る面を中心とする位置に設けられ、弾性を有する取付爪１５１，１５２としての両端が下方に延びる断面コ字状に形成され、両取付爪１５１，１５２の先端には、それぞれ左右方向に相互に離反する係止用突起１５１ａ，１５２ａが形成されている。
【００２４】
カバー１６は、絶縁性の樹脂などでボディ１５の開口および側面を覆う箱状に形成され、上述の各速結手段に対応する位置に電線挿入孔１６ａを有している。さらに詳述すると、カバー１６の上面には６つの電線挿入孔１６ａが穿設され、カバー１６の前方側面には５つの電線挿入孔１６ａが穿設されている。ただし、前方側面に設けられた５つの電線挿入孔１６ａのうち、左端側の電線挿入孔１６ａは、内蔵する速結端子部への接続用としては使用されない。
【００２５】
また、カバー１６の上面には、架橋部１６ｂを挟んで隣接されたＴ字状の一対の孔１６ｃが２組穿設され、各孔１６ｃには当該孔１６ｃよりも一回り小さめで弾性を有する解錠部材１６ｄが架橋部１６ｂから延設されている（図２参照）。ここで、右方側における前後いずれかの解錠部材１６ｄの先端を押下すると、押下された解錠部材１６ｄの下方に位置する前後いずれかの解錠片１１３，１２３がそれに押されて降下し、これら解錠片１１３，１２３側の鎖錠片１１２ａ，１２２ａの各先端が対応する端子板部１１１，１２１の屈曲部分から離れる。同様に、左方側における前後いずれかの解錠部材１６ｄの先端を押下すると、押下された解錠部材１６ｄの下方に位置する前後いずれかの解錠片１３３がそれに押されて降下し、この解錠片１３３側の鎖錠片１３２ａの先端が対応する端子板部１３１の屈曲部分から離れる。これらの結果、前後方向に配列された各速結手段からの電線の引抜きが可能になる。
【００２６】
さらに、前後方向と直交するカバー１６の両側面の各々には、各係止爪１５ｋが係止する係止孔１６ｅが複数設けられている。
【００２７】
図６は図１の端子台を上方斜めから見た斜視図で、この図をさらに用いて本端子台の組立ておよび取付板への組付け手順の一例を説明する。
【００２８】
まず、例えばアースバネ１４の圧接部１４１をボディ１５の孔１５ｉに挿入しながら、アースバネ１４のスリット１４２にボディ１５のリブ１５ｈを嵌入し、ダボカシメを行う（図４参照）。これにより、アースバネ１４はボディ１５の溝部１５ｇに填め込まれて固定される。なお、アースバネ１４のボディ１５への固定は、ダボカシメに限らず、接着剤による固着またはリブの溶融による溶着などでもよい。
【００２９】
この後、速結端子部１１〜１３をそれぞれボディ１５の断面コ字状の壁部１５ｃ〜１５ｅに嵌入する。これにより、速結端子部１１〜１３はボディ１５に取付固定される。
【００３０】
この後、カバー１６でボディ１５の開口および側面を閉塞しながら、ボディ１５の各係止爪１５ｋを対応するカバー１６の各係止孔１６ｅに係止させる。これにより、ボディ１５とカバー１６とが互いに固定されるとともに、速結端子部１１〜１３が抜け止め固定され、完成品としての端子台が得られる。
【００３１】
この後、取付板Ｂの孔Ｈ３に対して突起１５ｆの位置合わせを行いながら、図６に示すように、端子台の各取付部１５０の取付爪１５１，１５２を対応する取付板Ｂの取付孔Ｈ１に嵌入する。これにより、端子台の取付板Ｂへの組付けが完了する。
【００３２】
ここで、本実施形態では、電線結線用の速結端子部１３と取付板Ｂへのアース機能を有するアース接続部としてのアースバネ１４との２つの個別部品によりアースブロックを構成したので、速結端子部１３およびアースバネ１４に対する異種材料の組合せが可能になり、それら各部品に安価な材料を使用することができる。例えば、速結端子部１３に銅合金を使用し、アースバネ１４に鉄板やステンレスなどを使用することができる。
【００３３】
また、速結端子部１３およびアースバネ１４を板厚の異なる材料で製作することができる。そして、この場合、材料歩留まりの改善が可能になる。すなわち、図８および図９に示すような従来のアースブロックＥＢでは、０．３５ｍｍの板厚の材料を使用して、図７（ａ）に示すようにアースブロックＥＢを作製したとき、アースブロックＥＢ全体の使用材料重量（ロス含）は３．６ｇになる。これに対して、本実施形態のアースブロックでは、０．３５ｍｍの板厚の材料を使用して、図７（ｂ）に示すように速結端子部１３を作製したとき、速結端子部１３の使用材料重量（ロス含）が１．９ｇになり、０．３ｍｍの板厚の材料を使用して、図７（ｃ）に示すようにアースバネ１４を作製したとき、アースバネ１４の使用材料重量（ロス含）が０．４５ｇになって、アースブロック全体の使用材料重量（ロス含）は２．３５ｇになる。このように、アースブロックを速結端子部１３およびアースバネ１４の分離構造にするとともに、０．３５ｍｍの板厚の材料を使用して速結端子部１３を作製し、それよりも薄い０．３ｍｍの板厚の材料を使用してアースバネ１４を作製すれば、アースブロックに対する材料歩留まりを改善することができるのである。
【００３４】
また、ボディ１５を介して速結端子部１３とアースバネ１４とを接続することにより、組立時に、図８および図９に示す従来のアースブロックＥＢのような曲げ加工が不要になり、生産性の向上を図ることができる。
【００３５】
さらに、アースバネ１４のスリット１４２にボディ１５の突起１５ｆを嵌入することで、速結端子部１３とアースバネ１４とを圧接した状態に維持（固定）することができる。
【００３６】
なお、アースバネ１４はバネとして機能する必要があるので、アースバネ１４を速結端子部１３よりも弾性のある材料で製作するようにしてもよい。
【００３７】
【発明の効果】
以上のことから明らかなように、請求項１記載の発明によれば、電線結線用の速結端子部とアース機能を有するアース接続部との個別部材により成るアースブロックと、このアースブロックの電線挿入方向に対し垂直な方向に取付面を有するとともに前記アースブロック収納用の開口を有する絶縁樹脂性のボディと、前記速結端子部を抜け止め固定して前記開口を閉塞するための絶縁樹脂性のカバーとを備え、前記アース接続部は、前記速結端子部に対する圧接部を一端側に有するとともにスリットを少なくとも他端側に有し、前記ボディの取付面としての一の面には、前記アース接続部の圧接部を挿入して前記速結端子部に圧接させるための孔が穿設されているとともに、前記アース接続部のスリットに嵌入してそのアース接続部を当該ボディの取付面に取り付けるための突起が形成され、前記速結端子部およびアース接続部を前記ボディを介して取付面に対し垂直な２方向より挟み込むようにして組み付けるとともに、前記アース接続部を前記ボディに形成された前記突起に固定し、この固定により速結端子部とアース接続部との当接状態を維持するので、材料歩留まりおよび組立効率を良くすることができ、速結端子部およびアース接続部に対する材料の選択の幅を広げることができる。
【００３８】
請求項２記載の発明によれば、請求項１記載の端子台において、前記速結端子部およびアース接続部を板厚の異なる材料で構成し、前記アース接続部の板厚を前記速結端子部の板厚よりも薄くして成るので、材料歩留まりが改善される。
【００３９】
請求項３記載の発明によれば、請求項１記載の端子台において、前記速結端子部およびアース接続部を材質の異なる導電性材料で構成するとともに、前記アース接続部を前記速結端子部よりも弾性のある材料で構成して成るのであり、この構造でも、材料歩留まりおよび組立効率を良くすることができ、速結端子部およびアース接続部に対する材料の選択の幅を広げることができる。
【００４１】
請求項４記載の発明によれば、請求項１記載の端子台において、前記速結端子部は、板状の端子板部と、この端子板部とともに電線の導体線を狭持し鎖錠する鎖錠片を有する速結端子板部とを一体に備えて成るので、部品点数の削減が可能になる。
【図面の簡単な説明】
【図１】本発明の一実施形態に係る端子台の分解斜視図である。
【図２】図１の端子台を上方から見た平面図である。
【図３】図１の端子台を下方から見た一部平面図である。
【図４】図２に示すアースバネ近傍の一部断面図である。
【図５】図１の端子台を下方斜めから見た斜視図である。
【図６】図１の端子台を上方斜めから見た斜視図である。
【図７】本実施形態によるアースブロックに対する材料歩留まり改善の説明図である。
【図８】従来のアースブロックをボディに組み付ける順序の説明図である。
【図９】従来のアースブロックをボディに組み付ける順序の説明図である。
【符号の説明】
１１，１２，１３  速結端子部
１４  アースバネ
１５  ボディ
１５ｇ  溝部
１５ｈ  リブ
１５ｉ  孔
１６  カバー
【図１】
0004218813.tif 000002
【図２】
0004218813.tif 000003
【図３】
0004218813.tif 000004
【図４】
0004218813.tif 000005
【図５】
0004218813.tif 000006
【図６】
0004218813.tif 000007
【図７】
0004218813.tif 000008
【図８】
0004218813.tif 000009
【図９】
0004218813.tif 000010